(57)【要約】【課題】再生中の音声データをメモリカードから取得できなくなった場合にも、音声を出力し続けることができるようにする。【解決手段】複数の記録媒体を備え、前記記録媒体に記録されている複数の画像データを再生する画像再生手段と音声データを再生する音声再生手段とを有する再生装置に、複数の前記画像データの連続再生に合わせて前記音声データを再生している時に、前記音声データが前記記録媒体から読み出せない状態になった場合、他の記録媒体に記録されている音声データを再生するように制御する音声再生制御手段を設け、音楽ＢＧＭが記録されているメディアをユーザが誤って抜いてしまった場合でも音楽ＢＧＭの再生を途切れさせないようにする。【選択図】図１
2010268247.tif 000002
【特許請求の範囲】
【請求項１】
複数の記録媒体を備え、前記記録媒体に記録されている複数の画像データを再生する画像再生手段と音声データを再生する音声再生手段とを有する再生装置であって、
複数の前記画像データの連続再生に合わせて前記音声データを再生している時に、前記音声データが前記記録媒体から読み出せない状態になった場合、他の記録媒体に記録されている音声データを再生するように制御する音声再生制御手段を有することを特徴とする再生装置。
【請求項２】
前記記録媒体から読み出した前記音声データを一時的に記憶する一時記憶手段を有し、
前記音声再生制御手段は、複数の前記画像データの連続再生に合わせて前記音声データを再生している時に、前記音声データが前記記録媒体から読み出せない状態になった場合、前記一時記憶手段から読み出される前記音声データの再生を継続し、前記再生している画像データの再生が終了し、次の画像データの再生に切り替わると同時に、前記再生している音声を切り替えることを特徴とする請求項１に記載の再生装置。
【請求項３】
前記音声再生制御手段は、複数の前記画像データの連続再生に合わせて前記音声データを再生している時に、前記音声データが前記記録媒体から読み出せない状態になった場合、前記再生している画像データが、次の画像データの再生に切り替わると同時に、前記音声データを他の記録媒体から再生するよう切り替えることを特徴とする請求項１に記載の再生装置。
【請求項４】
前記音声再生制御手段は、前記再生している音声の切り替えを行う前に、前記再生されている音声データの音量を徐々に無音状態まで下げていく、フェードアウト処理を行うとともに、前記再生している音声の切り替えが行われた後に、前記再生される音声データの音量を無音状態から徐々に上げて行く、フェードイン処理を行うことを特徴とする請求項１〜３の何れか１項に記載の再生装置。
【請求項５】
前記画像データは、ユーザが撮影操作を行うと、あらかじめ設定された第１の設定時間の動画撮影が行われた後に撮影が停止する、スナップ撮影モードで撮影された動画像データであることを特徴とする請求項１〜４の何れか１項に記載の再生装置。
【請求項６】
前記一時記憶手段として使用する記憶容量は、あらかじめ設定された第１の設定時間の長さに応じて増減することを特徴とする請求項２または５に記載の再生装置。
【請求項７】
前記画像データは静止画データであって、前記画像の再生は、前記静止画データを、あらかじめ設定された第２の設定時間の間隔で切り替えながら再生を行うスライドショー再生であることを特徴とする請求項１〜６の何れか１項に記載の再生装置。
【請求項８】
前記複数の記録媒体のうち少なくとも１つは本体に対して着脱可能なリムーバブルメディアであり、前記音声データが読み出せない状態とは、前記リムーバブルメディアを本体から取り外した状態であることを特徴とする請求項１〜７の何れか１項に記載の再生装置。
【請求項９】
前記読み出せない状態とは、前記記録媒体に読み取りエラーが発生している状態であることを特徴とする請求項１〜８の何れか１項に記載の再生装置。
【請求項１０】
前記複数の記録媒体に記録されている音声データが同一の物であるかを判定する、音声データ同一識別手段を有し、
前記音声再生制御手段は、着脱可能なリムーバブルメディアに記録されている音声データと同一の音声データが内蔵固定メディアにも記録されていることが前記音声データ同一識別手段によって検出された場合、前記リムーバブルメディアからの再生が指定されている場合でも、前記内蔵固定メディアから音声データの再生を行うことを特徴とする請求項１〜９の何れか１項に記載の再生装置。
【請求項１１】
前記音声再生制御手段は、前記音声データが読み出せない状態になった記録媒体以外の記録媒体に、再生可能な音声データが存在しない場合、前記再生している音声の切り替えの際に、再生している音声を無音にすることを特徴とする請求項１〜１０の何れか１項に記載の再生装置。
【請求項１２】
複数の記録媒体を備え、前記記録媒体に記録されている複数の画像データを再生する画像再生工程と音声データを再生する音声再生工程とを有する再生方法であって、
複数の前記画像データの連続再生に合わせて前記音声データを再生している時に、前記音声データが前記記録媒体から読み出せない状態になった場合、他の記録媒体に記録されている音声データを再生するように制御する音声再生制御工程を有することを特徴とする再生方法。
【請求項１３】
複数の記録媒体を備え、前記記録媒体に記録されている複数の画像データを再生する画像再生工程と音声データを再生する音声再生工程とをコンピュータに実行させるプログラムであって、
複数の前記画像データの連続再生に合わせて前記音声データを再生している時に、前記音声データが前記記録媒体から読み出せない状態になった場合、他の記録媒体に記録されている音声データを再生するように制御する音声再生制御工程をコンピュータに実行させることを特徴とするプログラム。
【請求項１４】
請求項１３に記載のプログラムを記録したことを特徴とするコンピュータ読み取り可能な記録媒体。
【請求項１５】
第１の記録媒体から動画データと音楽データを再生する第１の再生手段と、
第２の記録媒体から音楽データを再生する第２の再生手段と、
動画データと音楽データを出力する出力手段と、
前記第１の記録媒体から前記動画データを再生し前記第２の記録媒体から第２の音楽データを再生して前記再生された動画データと第２の音楽データを前記出力手段から出力している場合に、前記第２の音楽データを出力できなくなると、前記第２の記録媒体から再生された第２の音楽データに代えて前記第１の記録媒体から再生された第１の音楽データを出力するように、前記第１の再生手段と前記出力手段を制御する制御手段とを備える再生装置。
【請求項１６】
前記制御手段は、前記第１の記録媒体から再生された動画データと前記第２の記録媒体から再生された第２の音楽データを前記出力手段から出力している場合に、前記第２の音楽データを出力できなくなると、前記第１の記録媒体から音楽データを再生するように、前記第１の再生手段を制御することを特徴とする請求項１５に記載の再生装置。
【請求項１７】
前記第１の再生手段は複数のクリップの動画データを前記第１の記録媒体から再生し、前記制御手段は、前記第１の記録媒体から再生された動画データと前記第２の記録媒体から再生された第２の音楽データを前記出力手段から出力している場合に、前記第２の音楽データを出力できなくなると、前記動画データのクリップの切り替わりのタイミングに従って、前記第２の音楽データから前記第１の音楽データに切り替えて出力するように、前記出力手段を制御することを特徴とする請求項１５または１６に記載の再生装置。
【請求項１８】
前記出力手段は、前記第１の記録媒体から再生された第１の音楽データと、前記第２の記録媒体から再生された第２の音楽データとを記憶するメモリを有し、前記メモリに記憶された第１の音楽データと第２の音楽データの何れかを選択して出力することを特徴とする請求項１５〜１７の何れか１項に記載の再生装置。
【請求項１９】
前記メモリは、前記動画データの再生時間分の前記第２の音楽データを記憶可能であることを特徴とする請求項１８に記載の再生装置。
【請求項２０】
前記制御手段は、前記第１の記録媒体から再生された動画データと前記第２の記録媒体から再生された第２の音楽データを前記出力手段から出力している場合に、前記第２の音楽データを出力できなくなり、前記第１の記録媒体に音楽データが記録されていない場合には、前記出力手段より出力される音声をミュートするように前記出力手段を制御することを特徴とする請求項１５〜１９の何れか１項に記載の再生装置。
【請求項２１】
前記第２の再生手段は、前記再生装置に装着された第２の記録媒体から音楽データを再生し、前記制御手段は、前記第１の記録媒体から再生された動画データと前記第２の記録媒体から再生された第２の音楽データを前記出力手段から出力している場合に、前記第２の記録媒体が前記再生装置から取り外されたことを検出すると、前記第２の記録媒体から再生された第２の音楽データに代えて前記第１の記録媒体から再生された第１の音楽データを出力するように、前記第１の再生手段と前記出力手段を制御することを特徴とする請求項１５〜２０の何れか１項に記載の再生装置。
【発明の詳細な説明】
【技術分野】
【０００１】
本発明は再生装置及び再生方法に関し、特に、音楽と共に画像を再生するために用いて好適な技術に関する。
【背景技術】
【０００２】
従来、動画や静止画などを撮影し、フラッシュメモリやハードディスク等の記録媒体に記録再生するビデオカメラが知られている。この種のビデオカメラでは、撮影時に画像と共に記録した音声に変えて、別途取得した音声をＢＧＭとして出力する機能を持つものがある（例えば、特許文献１参照）。
【先行技術文献】
【特許文献】
【０００３】
【特許文献１】特開２００４−２２１６６６号公報
【発明の概要】
【発明が解決しようとする課題】
【０００４】
再生時に画像と共に出力するＢＧＭとしての音声データをビデオカメラ内のメモリなどに蓄積している場合に、再生時には、この内蔵メモリから音声データを読み出すことでＢＧＭを出力することができる。
【０００５】
一方、近年では、メモリカードスロットを備えたビデオカメラが一般的になってきた。そして、ＢＧＭとしての音声データも、ビデオカメラに内蔵したメモリに保存するだけでなく、メモリカードなどから音声データを取得し、ＢＧＭとして出力することも考えられる。
【０００６】
このように、外部のメモリカードなどから再生した音声データをＢＧＭとして出力している際に、ユーザが誤ってメモリカードを取り外してしまうと、ＢＧＭが途切れてしまい、音声が出力されなくなってしまう不都合が発生する。
本発明は前述の問題点に鑑み、画像と共に音楽出力している場合に、音楽が取得できなくなった場合にも、音楽を出力し続けることができるようにすることを目的とする。
【課題を解決するための手段】
【０００７】
本発明の再生装置は、複数の記録媒体を備え、前記記録媒体に記録されている複数の画像データを再生する画像再生手段と音声データを再生する音声再生手段とを有する再生装置であって、複数の前記画像データの連続再生に合わせて前記音声データを再生している時に、前記音声データが前記記録媒体から読み出せない状態になった場合、他の記録媒体に記録されている音声データを再生するように制御する音声再生制御手段を有することを特徴とする。
【発明の効果】
【０００８】
本発明によれば、画像データの連続再生に載せてＢＧＭを再生している時にＢＧＭ音声データが入っている記録媒体が読み出し不能になっても、別の記録媒体に入っている音声データのＢＧＭ再生に切り替わるようにした。これにより、違和感のないＢＧＭつき画像データを連続再生することが可能となる。
【図面の簡単な説明】
【０００９】
【図１】実施形態のビデオカメラの構成例を示すブロック図である。
【図２】実施形態のビデオカメラの概要を示す図である。
【図３】実施形態のビデオカメラのデータバッファの動作例を示す図である。
【図４】実施形態のビデオカメラの動作手順を示すフローチャートである。
【図５】実施形態のビデオカメラの映像・音楽データの経路を示す図である。
【図６】実施形態のビデオカメラの映像・音楽データの経路を示す図である。
【図７】実施形態のビデオカメラのデータバッファ及び再生音量制御の動作を示す図である。
【図８】実施形態のビデオカメラの動作手順を示すフローチャートである。
【図９】実施形態のビデオカメラの動作手順を示すフローチャートである。
【図１０】実施形態のビデオカメラのデータバッファの動作例を示す図である。
【図１１】実施形態のビデオカメラのデータバッファの動作例を示す図である。
【図１２】実施形態のビデオカメラのデータバッファの動作例を示す図である。
【発明を実施するための形態】
【００１０】
本発明を、画像再生と音楽再生とを行うビデオカメラで応用した実施形態について図面を用いて説明する。
図１は、本実施形態のビデオカメラの構成例を説明するブロック図である。
図１において、１０１は被写体を取り込む撮影レンズ、１０２は後述の撮像素子への光量を制御する絞り、１０３は、取り込んだ被写体を動画像信号に変換する撮像素子である。
【００１１】
１０４は動画像信号をサンプルホールドし、適正な信号レベルにするＣＤＳ／ＡＧＣ、１０５は、ＣＤＳ／ＡＧＣからの動画像信号をＡ／Ｄ変換し、デジタル信号処理を行うデジタル信号処理回路である。１０６は、デジタル信号処理回路からの生データを１フレーム分ずつ蓄積するフレームメモリ、１０７は、フレームメモリの画素を後述のＨ．２６４方式での記録ができるように、適切な画素数を調整する画素数調整回路である。
【００１２】
１０８は、各ブロック間で動画データ及び後述の音声データが転送される画像／音声データバス、１０９は、動画データと共に後述のハードディスクドライブまたはフラッシュメモリカード１２１に記録される音声を集音するマイクロフォンである。１１０は、マイクロフォンからの音声信号を適当なレベルまで増幅する増幅器、１１１は、増幅された音声信号をＡ／Ｄ変換するＡ／Ｄコンバータである。
【００１３】
１１２は、再生モード時には後述のＨ．２６４コーデック１１４からの再生動画データ、撮影時には撮像素子１０３で撮像された映像を表示する液晶パネル、１１３は、液晶パネルを駆動する液晶ドライバである。１１４はＨ．２６４コーデックである。Ｈ．２６４コーデック１１４は、画像バスからのデジタル動画像信号を公知のＨ．２６４方式に従って圧縮符号化する。また、後述のハードディスクドライブ１１９またはフラッシュメモリカード１２１から再生された動画データを伸長する。
【００１４】
１１５はデータバッファである。データバッファ１１５は、画像／音声データバス１０８を介して転送されるデータを一時的に蓄積して一時記憶し、両ブロック間の速度差を吸収するために設けられている。例えば、Ｈ．２６４コーデック１１４及びＡ／Ｄコンバータ１１１、Ｄ／Ａコンバータ１２９の画像・音声処理ブロックとハードディスクドライブ１１９及びフラッシュメモリカード１２１の記録媒体ブロックの間で転送されるデータを一時的に蓄積する。また、データバッファ１１５の記憶容量は、あらかじめ設定された第１の設定時間の長さに応じて増減するようにしている。
【００１５】
１１５ａは、記録時はＨ．２６４コーデック１１４からの圧縮符号化データを後述のハードディスクドライブ１１９またはフラッシュメモリカード１２１に記録する前に一時的に保持する。そして、再生時は後述のハードディスクドライブ１１９またはフラッシュメモリカード１２１から読み出した圧縮符号化データを一時的に保持するバンク０領域である。１１５ｂは、再生時に後述のハードディスクドライブ１１９から読み出した後述のＢＧＭ用音楽データを一時的に保持するバンク１領域である。１１５ｃは、再生時に後述のフラッシュメモリカード１２１から読み出した後述のＢＧＭ用音楽データを一時的に保持するバンク２領域である。
【００１６】
１１６はアナログ映像信号を出力するビデオ出力端子、１１７は、液晶パネル１１２で表示されるものと同一の動画像をアナログ化し、ビデオ出力端子１１６に出力するＮＴＳＣエンコーダである。１１８は記録媒体アクセスを行い、後述のハードディスクドライブ１１９に対してデータの読み書きを行うＡＴＡインターフェースである。１１９は本実施形態のビデオカメラに内蔵されたハードディスクドライブ（ＨＤＤ）である。ＨＤＤ１１９は、画像／音声データバス１０８からのＨ．２６４動画データを記録する。
【００１７】
１２０は記録媒体アクセス手段として機能し、後述のフラッシュメモリカード１２１を装着・保持し、データの読み書きを行うフラッシュメモリカードドライバ／スロットである。本体に対して着脱可能なリムーバブルメディアを装着するためのメディアスロットであり、前記新たな記録媒体とは、前記メディアスロットに新たに装着されたリムーバブルメディアが着脱される。
【００１８】
１２０ａは、フラッシュメモリカード１２１が本体に装着されているかを検出するメモリカード検出スイッチである。１２１は、ＨＤＤ１１９と選択的に用いられる、第２の記録媒体であり、本体に対して脱着可能なフラッシュメモリカード、１２２は、後述のＵＳＢコントローラ１２３からのデータを出力するＵＳＢ端子であり、外部記録媒体と通信を行う。すなわち、本実施形態のビデオカメラは、記録媒体アクセス手段を複数備えている。
【００１９】
１２３はＵＳＢホスト機能を持つＵＳＢコントローラである。ＵＳＢコントローラ１２３は、ＨＤＤ１１９またはフラッシュメモリカード（以下、メモリカードとする）１２１に記録されたデータをファイル形式の状態で外部機器に送信し、また、外部機器から各種のデータをファイル形式で受信する。１２４は、使用者が本体に対する撮影操作を行うための操作キー、１２５は、機器全体のモードを制御したり、操作キー１２４を検出して各種機能の実行を制御したりするメインマイコンである。
【００２０】
メインマイコン１２５は、動画データの連続再生に合わせて前記音声データを再生している時に、記録媒体アクセス手段により、読み出し可能な記録媒体が新たに装着されたか認識する。そして、新たに認識された記録媒体に再生可能な音声データが格納されていた場合には、新たに認識された記録媒体に記録されている音声データを再生するように前記記録媒体アクセス手段を制御するアクセス制御（音声再生制御）を行う。
【００２１】
１２６は、メインマイコン１２５が一時的なデータを保管するＲＡＭ、１２７は、メインマイコン１２５の所定の状態を記憶する不揮発性メモリであるＥＥＰＲＯＭである。１２８は、メインマイコン１２５と各ブロックの間で、本体のモードや状態に応じた制御信号及びレスポンス信号が転送される制御信号バス、１２９は画像／音声データバス１０８からのデジタル音声信号をアナログ化するＤ／Ａコンバータである。１３０は、Ｄ／Ａコンバータ１２９からのアナログ音声信号を増幅、音声として出力するスピーカである。
【００２２】
また、図２は、本実施形態のビデオカメラの概要を示す図である。
図２において、２０１はビデオカメラ本体、１１９は、ビデオカメラ２０１に内蔵される、固定式記録媒体であるＨＤＤ、１１８はビデオ出力端子、１２２は、ＵＳＢ端子、１２１は、脱着可能な記録媒体であるメモリカードである。２０２は、外部接続型のＨＤＤ（図１には示していない外部記録媒体）、２０３は、外部接続型ＨＤＤ２０２とＵＳＢ端子１２２との間を接続するＵＳＢケーブルである。
【００２３】
図３は、データバッファ１１５の動作の概要を示す図である。
図３において、バンク０乃至バンク２の特性図の縦軸は各バッファ内のデータ蓄積量、横軸は時間の経過を示している。また「出力画像」は液晶パネル１１２で再生画像が表示される、後述のスナップ動画撮影モードにおいて撮影された複数の動画クリップのうち、再生されている動画クリップの時間的経過を示している。「出力音楽」はスピーカ１３０で出力される音楽のデータ源の時間的経過を示している。
【００２４】
ここで、本実施形態のビデオカメラにおける、動画の撮影について説明する。
動画クリップは、ユーザが任意に記録開始-停止の操作を行う通常の撮影モードとは別に設けられるスナップ動画撮影モードにおいて撮影された動画像データである。通常の撮影モードでは、ユーザによる撮影開始の指示から撮影停止の指示までの間にＨＤＤ１１９に記録される一連の動画データが一つの動画ファイルとして記録される。一方、スナップ撮影モードでは、ユーザが記録開始の撮影操作を行うと、あらかじめ設定された第１の設定時間だけ動画データを記録し、その後、自動的に記録を停止するモードである。また、スナップ撮影モードにおいても、音声が動画データと共に記録される。例えば、スナップ撮影モードでは、撮影開始の指示から４秒間などあらかじめ設定された時間の動画記録を行った後に記録が自動停止するようにしている。
【００２５】
また、本実施形態では、この様にスナップ撮影モードで撮影された複数の動画データを連続して再生するスナップ再生モードの機能を持つ。スナップ再生モードでは、スナップ撮影モードで撮影された複数のクリップの動画データの再生順をランダムに入れ替えて再生する。このとき、動画データと共に記録された音声に代えて所望の音楽をＢＧＭとして再生する。これにより、編集済みの音楽付き動画スライドショーコンテンツのような効果を、一切の編集作業などを行うことなく手軽に楽しめる。
【００２６】
次に、ＢＧＭデータの処理について説明する。
本実施形態では、スナップ再生モードで再生するためのＢＧＭとしての音楽データを、第１の記録媒体としてのＨＤＤ１１９に記録しておき、スナップ再生モード時にＨＤＤ１１９から音楽データを再生する第１の再生を行うことができる。
【００２７】
即ち、ユーザは、第２の音楽データが記憶されたメモリカード１２１をビデオカメラ２０１に装着する。そして、ユーザが操作キー１２４を操作し、メモリカード１２１からの第２の音楽データの取り込みを指示すると、メインマイコン１２５がメモリカードドライバ１２０を制御する。そして、メモリカード１２１に記憶された第２の音楽データを読み出し、ＡＴＡＩ／Ｆ１１８に送る第２の再生を行う。メインマイコン１２５は、ＡＴＡＩ／Ｆ１１８を制御し、メモリカード１２１から読み出された第２の音楽データをＨＤＤ１１９に記録する。
【００２８】
また、本実施形態では、スナップ再生モードにおいて、ＨＤＤ１１９に記録された第１の音楽データの他、装着されたメモリカード１２１に記憶された第２の音楽データを読み出してＢＧＭとして出力することができる。そのため、ユーザは、メモリカード１２１を交換することで、ＨＤＤ１１９に記録された音楽データ以外の音楽をＢＧＭとして出力することができる。
【００２９】
また、ユーザは、操作キー１２４を操作して、スナップ再生モードにおいてＢＧＭとして再生する音楽データを、ＨＤＤ１１９とメモリカード１２１のどちらから再生するかを選択することができる。例えば、メモリカード１２１が選択されていた場合、スナップ再生開始の指示があると、ＨＤＤ１１９からスナップ撮影モードで記録された動画データを再生すると共に、メモリカード１２１から音楽データを再生する。そして、メモリカード１２１から再生された音楽データをＢＧＭとして出力する。なお、スナップ再生モード開始時にメモリカード１２１がビデオカメラ２０１に装着されていない場合には、ＨＤＤ１１９から音楽データを再生する。
【００３０】
次に、スナップ再生モードの動作を、図を用いて説明する。図４は、スナップ再生モードの開始時に、ＢＧＭとしてメモリカード１２１から再生した音楽データを出力する場合の処理を説明するフローチャートである。
図４に示すように、ステップＳ４０１においてスナップ再生モードがスタートし、ステップＳ４０２においてユーザによるスナップ再生が指示されると、ステップＳ４０３に進み、動画データがＨＤＤ１１９から読み出される。
【００３１】
そして、データバッファ１１５のバンク０に蓄積が開始されるとともに、音楽データがメモリカード１２１から読み出され、データバッファ１１５のバンク１に蓄積が開始される（図３の「再生開始操作」）。なお、スナップ再生モードにおいてＢＧＭとして再生する音声データをユーザが操作キー１２４を操作して選択してもよいし、或いは、メインマイコン１２５が自動的に音楽データを選択する構成でもよい。動画データが所定のバイト数、データバッファ１１５のバンク０に蓄積されると、ステップＳ４０４においてＨ．２６４コーデック１１４によるデコードが開始、液晶パネル１１２に再生映像の表示が開始される。また、スピーカ１３０から音楽の出力が開始される。この再生が行われている間、ステップＳ４０５において、メモリカード１２１の装着状態がメモリカード検出スイッチ１２０aによって検出される。
【００３２】
ステップＳ４０５の検出の結果、メモリカード１２１が問題なく装着されていれば、ステップＳ４０６において、メモリカード１２１からのデータ読み出しでエラーが発生していないかが検出される。この検出の結果、問題なく読み出しが行われていれば、ステップＳ４０７においてそのまま再生が継続され、ステップＳ４０８において映像データの終点が検出される。ステップＳ４０８の検出の結果、映像データの終点が検出されない場合にはステップＳ４０５に戻り前述した処理を行う。また、ステップＳ４０８において、スナップ再生モードで再生すべき動画データの終点が検出された場合にはステップＳ４０９に進み、再生終了処理を行う。なお、本実施形態では、スナップ再生モードにおいては、スナップ撮影モードで撮影された動画データだけを連続して再生する。そして、ＨＤＤ１１９から、スナップ撮影モードで撮影された動画データを全て再生すると再生を終了する。
【００３３】
また、ステップＳ４０５における装着状態の検出の結果、装着不良が検出されることがある。例えば、メモリカード検出スイッチ１２０aによってメモリカード１２１が抜けていることが検出されることがある。または、ステップＳ４０６において、メモリカード１２１からのデータ読み出しで読み取りエラーが発生したりしていることが検出されることがある。
【００３４】
このような場合、ステップＳ４１０に進み、ＨＤＤ１１９内に再生可能な音楽データがあるかが検出される。再生可能な音楽データが検出された場合、ステップＳ４１１においてＨＤＤ１１９から音楽データが読み出され、データバッファ１１５のバンク２に蓄積が開始される（図３の「タイミングＡ」）。
【００３５】
その後、ステップＳ４１２においてスナップ動画のクリップが切り替わったかが検出される。動画のクリップの切り替わりが検出された場合、ステップＳ４１３において、ＢＧＭとして出力する音楽を、バンク２に蓄積された音楽データの再生音に切り替える（図３の「タイミングＢ」）。なお、本実施形態では、データバッファ１１５のバンク１に対して、メモリカード１２１から再生された音楽データを１クリップのスナップ撮影された動画データの再生時間分以上の第２の音楽データを記憶可能としている。具体的には、スナップ撮影モードで記録される１クリップの動画データの時間を４秒とした場合、バンク１には、４秒以上の第２の音楽データを記憶可能としている。そのため、スナップ再生モード中にメモリカードが抜き取られても、次のクリップに切り替わるまでは、メモリカード１２１から再生された第２の音楽データの出力を継続することができる。
【００３６】
その後、ステップＳ４０７に進む。また、ステップＳ４１０において、ＨＤＤ１１９に再生可能な音楽データが存在しないと判定された場合は、ステップＳ４１４に進む。ステップＳ４１４においては、スナップ動画のクリップが切り替わったかが検出され、該検出されたタイミングで（図３の「タイミングＢ」）、ステップＳ４１５において、音楽の出力がミュートされる。その後、ステップＳ４０７に進む。
【００３７】
以上に説明した、スナップ再生モードにおける、音楽データの信号経路を図５及び図６に示す。図３の「再生開始操作」から「タイミングＡ」までの期間は図５の（１）で示す信号経路となり、「メモリカード」→「バッファメモリのバンク２」→「音楽データがアナログ化され、出力」という経路である。
【００３８】
また、図３の「タイミングＡ」から「タイミングＢ」までの期間は図６の（２）で示す信号経路となり、「バッファメモリのバンク２」→「音楽データがアナログ化され、出力」という経路である。さらに、図３の「タイミングＢ」以降の期間は図６の（３）で示す信号経路となり、「ＨＤＤ」→「バッファメモリのバンク１」→「音楽データがアナログ化され、出力」という経路となる。
【００３９】
以上説明したように、本実施形態では、スナップ再生モードにおいてメモリカードからの音楽をＢＧＭとして出力しているときに、メモリカードが取り外された場合には、メモリカードからの音楽に代えてＨＤＤから再生された音楽をＢＧＭとして出力する。そのため、新たにＨＤＤに記録された音楽データを確認し、ＢＧＭを切り替える作業を省略でき、簡単な手順でＢＧＭを切り替えることができる。また、メモリカードが抜かれると、すぐにＢＧＭを切り替えるのではなく、次の動画クリップの再生に移るタイミングでＢＧＭを切り替えるため、違和感のないスナップ再生を行うことができる。
【００４０】
なお、メモリカードが抜かれたときにＢＧＭを切り替える際、切り替わり前の数秒間、音量を徐々に下げるフェードアウト処理、また切り替わり後の数秒間、音量を徐々に上げていくフェードイン処理を施す構成を用いてもよい。この構成を用いた場合の制御例を、図７における「再生音量」の特性図に示す。図７では、音楽の切り替わりタイミングであるタイミングＢの前に、それまでの再生音量に対する減衰量が０ｄＢ（そのままの音量）から−∞ｄＢ（無音状態）まで徐々に音量制御される。そして、タイミングＢで音楽が切り替わった後、減衰量が−∞ｄＢから減衰量０ｄＢまで徐々に音量制御されることが示されている。この構成によれば、音楽の切り替えをさらに違和感なく行うことが可能である。
【００４１】
また、音声の切り替え後のデータ元であるＨＤＤ１１９に音楽データが格納されていない場合、切り替わり後の音声をミュートする代わりに、動画の撮影時にマイクによって同時に記録されている通常音声の再生に切り替わる構成としてもよい。この場合、図４のフローチャートにおいて、ステップＳ４１０とステップＳ４０７の間のステップＳ４１４乃至ステップＳ４１５のステップが、図８に示すステップＳ８０１乃至ステップＳ８０３のステップに置き替わる。
【００４２】
すなわち、図８のステップＳ４１０において、ＨＤＤ１１９に再生可能な音楽があると検出されない場合は以下の処理となる。まず、ステップＳ８０１においてＨＤＤ１１９から映像の録画と同時にマイクロフォン１０９によって収録された音声データが読み出される。そして、データバッファ１１５のバンク２に蓄積が開始される（図３の「タイミングＡ」）。
【００４３】
その後、ステップＳ８０２においてスナップ動画のクリップが切り替わったかが検出される。切り替わりが検出された場合、ステップＳ８０３において、音楽の出力が、バンク２に蓄積されたマイク音声データの再生音に切り替わる（図３の「タイミングＢ」）。この構成では、メモリカード１２１を抜いた場合にマイク音声の再生に切り替わるため、ユーザが被写体の人物が話している内容を聞きたくなった場合など、意図的に音声を切り替える目的の構成とすることができる。
【００４４】
さらに、スナップ再生の開始前に、メモリカード１２１に格納されている音楽データとＨＤＤ１１９に格納されている音楽データを比較する、音声データ同一識別を行う。そして、同一の音楽データと判定できた場合、着脱可能なリムーバブルメディアからの再生が指定されている場合でも、再生の当初から、内蔵固定メディアであるＨＤＤ１１９から音楽データを読み出し、ＢＧＭ再生を行う構成としてもよい。なお、音楽データの比較の方法としては、音楽データの容量を比較する方法でもよいし、または音楽データそのものをすべて比較する方法でもよい。この場合、図４のフローチャートにおいて、ステップＳ４０１とステップＳ４０２の間に、図９に示すステップＳ９０１乃至ステップＳ９０７のステップが加わる。
【００４５】
すなわち、図９において、ステップＳ４０１において、スナップ再生モードがスタートすると、以下の処理となる。まず、ステップＳ９０１においてＨＤＤ１１９に格納されている音楽データと、メモリカード１２１に格納されている音楽データが同一であるかが検出される。
【００４６】
ステップＳ９０１の検出の結果、同一であると検出されると、ステップＳ９０２においてユーザによる再生開始操作の有無が検出される。そして、ユーザによる再生開始操作が検出されるとステップＳ９０３に進み、映像データがＨＤＤ１１９から読み出され、データバッファ１１５のバンク０に蓄積が開始される。また、音楽データもＨＤＤ１１９から読み出され、データバッファ１１５のバンク１に蓄積が開始される。映像データが所定のバイト数、データバッファ１１５のバンク０に蓄積されると、ステップＳ９０４においてＨ．２６４コーデック１１４によるデコードが開始、液晶パネル１１２に再生映像の表示が開始される。
【００４７】
また、スピーカ１３０から音楽の出力が開始される。この音楽再生はステップＳ９０５においてそのまま再生が継続され、ステップＳ９０６において映像データの終点が検出され、ステップＳ９０７において再生が終了されるまで継続される。また、ステップＳ９０１における同一性検出の結果、同一でないと検出されると、図４のステップＳ４０２以降の処理に移る。以降は、図４のフローチャートの説明と同様の動作が行われる。
【００４８】
この構成では、ＨＤＤ１１９に格納されている音楽データと、メモリカード１２１に格納されている音楽データが同一である場合、再生の当初からＨＤＤ１１９からの音楽再生が行われる。このため、メモリカード１２１が抜かれても、音楽の出力には影響しない構成を提供することができる。
【００４９】
さらに、本実施形態のデータバッファ１１５のバンク１（１１５ｂ）の最大容量を可変とし、スナップ動画撮影モードにおける、ユーザが記録開始の操作を行ってから記録が自動停止するまでの設定時間に応じて、バンク１の最大容量を調整する構成としてもよい。図１０（ａ）は設定時間が短いため、バンク１の容量が少なくなり、図１０（ｂ）は設定時間が長いため、バンク１の容量を多く取っている状態を示している。この構成により、長い動画クリップの再生中にメモリカード１２１が抜かれたためにバンク１に蓄積されている音楽データが空になってしまい、再生する音楽が途切れてしまうおそれをなくすことができる。
【００５０】
また、本実施形態では、メモリカード１２１を抜いた場合に伴う音楽の切り替えタイミングを図３のタイミングＢに示すように、動画クリップの切り替わりのタイミングに合わせている。しかし、図１１に示すように、音楽の切り替えタイミングを、メモリカード１２１を抜いたタイミングであるタイミングＡとし、再生している動画クリップも同時に次の動画クリップにスキップする構成としてもよい。
【００５１】
この構成では、音楽及び動画クリップの切り替えを、カードを抜いてすぐに行う。このため、動画クリップの撮影が自動停止するまでの時間が長く設定されている場合などに、バンク１に蓄積されている音楽データが空になってしまい、再生する音楽が途切れてしまうおそれをなくすことができる。
【００５２】
なお、本実施形態のビデオカメラでは、動画データを撮影していたが、静止画データも撮影し、ＨＤＤ１１９に記録する構成としてもよい。そして、記録された静止画データを、あらかじめ設定された第２の設定時間の間隔で切り替えながら連続して再生するスライドショー機能を設ける。そして、このスライドショー再生において、前記の如くメモリカードから音楽データを再生し、ＢＧＭとして出力することも可能である。
この際、前述の実施形態と同様、スライドショー再生中にメモリカードが抜かれると、ＢＧＭをＨＤＤからの音楽に切り替える。
【００５３】
この場合は、図１２に示すように、複数の動画データの連続再生に合わせて音声データを再生しているタイミングＡにメモリカード１２１を抜いた場合、静止画２の設定秒間の再生中はバンク１の音楽データを引き続き再生する。そして、静止画３に切り替わるタイミングＢに、バンク２の音楽データの再生に切り替わる。なお、音声データが読み出せない状態になった記録媒体以外の記録媒体に、再生可能な音声データが存在しない場合、再生している音声の切り替えの際に、再生している音声を無音にする。
また、本実施形態のビデオカメラ２０１は、内蔵のＨＤＤに対して動画データと音楽データを記録再生する構成であったが、ハードディスクに代えて、メモリカード等、着脱可能な記録媒体を用いる構成でもよい。
【００５４】
（本発明に係る他の実施の形態）
前述した本発明の実施の形態における再生装置を構成する各手段は、コンピュータのＲＡＭやＲＯＭなどに記憶されたプログラムが動作することによって実現できる。このプログラム及びプログラムを記録したコンピュータ読み取り可能な記録媒体は本発明に含まれる。
【００５５】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００５６】
なお、本発明は、前述した再生方法における各工程を実行するソフトウェアのプログラムを、システムあるいは装置に直接、あるいは遠隔から供給する。実施の形態では図４、図８、図９に示すフローチャートに対応したプログラム供給する。そして、そのシステムあるいは装置のコンピュータが供給されたプログラムコードを読み出して実行することによっても達成される場合を含む。
【００５７】
したがって、本発明の機能処理をコンピュータで実現するために、コンピュータにインストールされるプログラムコード自体も本発明を実現するものである。つまり、本発明は、本発明の機能処理を実現するためのコンピュータプログラム自体も含まれる。
【００５８】
その場合、プログラムの機能を有していれば、オブジェクトコード、インタプリタにより実行されるプログラム、ＯＳに供給するスクリプトデータ等の形態であってもよい。
【符号の説明】
【００５９】
１０８  画像／音声データバス、１１２  液晶パネル、１１３  液晶ドライバ、１１４  Ｈ．２６４コーデック、１１５  データバッファ、１１５ａ  バンク０、１１５ｂ  バンク１、１１５ｃ  バンク２、１１６  ビデオ出力端子、１１７  ＮＴＳＣエンコーダ、１１８  ＡＴＡインターフェース、１１９  ハードディスクドライブ（ＨＤＤ）、１２０  フラッシュメモリカードドライバ／スロット、１２０ａ  メモリカード検出スイッチ、１２１  フラッシュメモリカード、１２２  ＵＳＢ端子、１２３  ＵＳＢコントローラ、１２４  操作キー、１２５  メインマイコン、１２６  ＲＡＭ、１２７  ＥＥＰＲＯＭ、１２８  制御バス、１２９  Ｄ／Ａコンバータ、１３０  スピーカ
【図１】
2010268247.tif 000003
【図２】
2010268247.tif 000004
【図３】
2010268247.tif 000005
【図４】
2010268247.tif 000006
【図５】
2010268247.tif 000007
【図６】
2010268247.tif 000008
【図７】
2010268247.tif 000009
【図８】
2010268247.tif 000010
【図９】
2010268247.tif 000011
【図１０】
2010268247.tif 000012
【図１１】
2010268247.tif 000013
【図１２】
2010268247.tif 000014